(57)【要約】【課題】異物がマイクロホンに入ることを防ぐマイクロホンのユニット構造を提供する。【解決手段】回路基板を有する基板２１０と、前記回路基板に接続された音声処理ユニット１２０と、前記基板２１０に接続された上カバー２３０と、前記上カバー２３０の側面に設けられた音孔１３１と、を備える。【選択図】図２
2007195140.tif 000002
【特許請求の範囲】
【請求項１】
回路基板を有する基板と、
前記回路基板に接続された音声処理ユニットと、
前記基板に接続された上カバーと、
前記上カバーの側面に設けられた音孔と、
を備えることを特徴とする、マイクロホンのユニット構造。
【請求項２】
前記ユニット構造は矩形状であることを特徴とする、請求項１に記載のマイクロホンのユニット構造。
【請求項３】
前記ユニット構造は非矩形状であることを特徴とする、請求項１に記載のマイクロホンのユニット構造。
【請求項４】
前記音声処理ユニットは、少なくとも一つの音声センサを有することを特徴とする、請求項１に記載のマイクロホンのユニット構造。
【請求項５】
前記音声処理ユニットは、少なくとも一つの信号増幅装置を有することを特徴とする、請求項１に記載のマイクロホンのユニット構造。
【請求項６】
前記音孔は一つであることを特徴とする、請求項１に記載のマイクロホンのユニット構造。
【請求項７】
前記音孔は複数であることを特徴とする、請求項１に記載のマイクロホンのユニット構造。
【請求項８】
前記音孔はラッパ状であることを特徴とする、請求項１に記載のマイクロホンのユニット構造。
【請求項９】
前記音孔は、一方の縁が傾斜して延びたラッパ状であることを特徴とする、請求項１に記載のマイクロホンのユニット構造。
【請求項１０】
前記音孔は、両方の縁が傾斜して延びたラッパ状であることを特徴とする、請求項１に記載のマイクロホンのユニット構造。
【請求項１１】
前記音孔は長孔形状であることを特徴とする、請求項１に記載のマイクロホンのユニット構造。
【請求項１２】
前記音孔は、水平線の下の位置に設けられることを特徴とする、請求項１に記載のマイクロホンのユニット構造。
【請求項１３】
前記音孔は、垂直線の両側へ対称に設けられることを特徴とする、請求項１に記載のマイクロホンのユニット構造。
【発明の詳細な説明】
【技術分野】
【０００１】
本発明はマイクロホンのユニット構造に関し、特にユニット構造へ異物が入らないようにするマイクロホンのユニット構造に関する。
【背景技術】
【０００２】
マイクロホンは、様々な仕事や娯楽において使用される収音装置である。マイクロホンのユニット構造には、音声の収集及び処理を行う電子部品が含まれ、ユニット構造の外カバーには収音用の音孔が設けられている。マイクロホンは、マイクロホンのユニット構造の部分を下側から口元へ近づけて使用するため、高い収音効果が得られるようにユニット構造の上部に音孔が設けられている。
【０００３】
図１は、従来のマイクロホンのユニット構造を示す断面図である。このユニット構造１００は、基板１１０、音声処理ユニット１２０及び上カバー１３０を含む。
【０００４】
基板１１０は回路基板を含んでもよい。音声処理ユニット１２０は、音声センサ１２１、信号増幅装置１２２及び電子部品１２３を含み、上カバー１３０の頂面には音孔１３１が設けられている。
【０００５】
従来のマイクロホンのユニット構造の基板１１０に含まれる回路基板は、音声処理ユニット１２０を装着するために用い、音声センサ１２１は、基板の中心箇所に装着され、その横には信号増幅装置１２２及び電子部品１２３が装着されている。電子部品１２３は、例えば必要な抵抗又はコンデンサでもよい。また、上カバー１３０の頂面に設けられている音孔１３１は、収音に用いられる。
【０００６】
しかし、音孔１３１は開口が上方に向けられているため、様々な場面で長期間使用されると、風や砂埃、雨水、塵や唾液などといった外部の異物が音孔から入り、ユニット構造１００の内部を汚染して音声処理ユニット１２０が損壊されてしまうことがあった。
【０００７】
上述の従来技術にあった問題は、マイクロホンのユニット構造の機能を低下させ、更には機能を喪失させることがあり、これによりマイクロホンの耐久性を低下させ、メンテナンス費用が増大した。
【発明の開示】
【発明が解決しようとする課題】
【０００８】
本発明の第１の目的は、異物がマイクロホンに入ることを防ぐマイクロホンのユニット構造を提供することにある。
本発明の第２の目的は、ユニット構造の側面に音孔を設け、異物がユニット構造の内部に入ることを防ぐマイクロホンのユニット構造を提供することにある。
本発明の第３の目的は、ユニット構造の側面に音孔を設け、その音孔の断面形状により収音効果を高めるマイクロホンのユニット構造を提供することにある。
本発明の第４の目的は、音孔の形状により収音効果を良好に保ち、音孔の配置位置により異物がユニット構造に入ることを防いでユニット構造の耐久性を向上させるマイクロホンのユニット構造を提供することにある。
【課題を解決するための手段】
【０００９】
請求項１の発明は、マイクロホンのユニット構造であって、回路基板を有する基板と、  前記回路基板に接続された音声処理ユニットと、前記基板に接続された上カバーと、前記上カバーの側面に設けられた音孔と、を備えることを特徴とする、マイクロホンのユニット構造としている。
【００１０】
請求項２の発明は、請求項１に記載のマイクロホンのユニット構造であって、前記ユニット構造は矩形状であることを特徴とする。
【００１１】
請求項３の発明は、請求項１に記載のマイクロホンのユニット構造であって、前記ユニット構造は非矩形状であることを特徴とする。
【００１２】
請求項４の発明は、請求項１に記載のマイクロホンのユニット構造であって、前記音声処理ユニットは、少なくとも一つの音声センサを有することを特徴とする。
【００１３】
請求項５の発明は、請求項１に記載のマイクロホンのユニット構造であって、前記音声処理ユニットは、少なくとも一つの信号増幅装置を有することを特徴とする。
【００１４】
請求項６の発明は、請求項１に記載のマイクロホンのユニット構造であって、前記音孔は一つであることを特徴とする。
【００１５】
請求項７の発明は、請求項１に記載のマイクロホンのユニット構造であって、前記音孔は複数であることを特徴とする。
【００１６】
請求項８の発明は、請求項１に記載のマイクロホンのユニット構造であって、前記音孔はラッパ状であることを特徴とする。
【００１７】
請求項９の発明は、請求項１に記載のマイクロホンのユニット構造であって、前記音孔は、一方の縁が傾斜して延びたラッパ状であることを特徴とする。
【００１８】
請求項１０の発明は、請求項１に記載のマイクロホンのユニット構造であって、前記音孔は、両方の縁が傾斜して延びたラッパ状であることを特徴とする。
【００１９】
請求項１１の発明は、請求項１に記載のマイクロホンのユニット構造であって、前記音孔は長孔形状であることを特徴とする。
【００２０】
請求項１２の発明は、請求項１に記載のマイクロホンのユニット構造であって、前記音孔は、水平線の下の位置に設けられることを特徴とする。
【００２１】
請求項１３の発明は、請求項１に記載のマイクロホンのユニット構造であって、前記音孔は、垂直線の両側へ対称に設けられることを特徴とする。
【発明の効果】
【００２２】
本発明のマイクロホンのユニット構造は、異物がマイクロホンに入ることを防ぐことができる。
本発明のマイクロホンのユニット構造は、ユニット構造の側面に音孔が設けられているため、異物がユニット構造の内部に入ることを防ぐことができる。
本発明のマイクロホンのユニット構造は、ユニット構造の側面に音孔が設けられているため、その音孔の断面形状により収音効果を高めることができる。
本発明のマイクロホンのユニット構造は、音孔の形状を変えることにより良好な収音効果を得て、音孔の配置位置により異物がユニット構造に入ることを防いでユニット構造の耐久性を向上させることができる。
【発明を実施するための最良の形態】
【００２３】
以下、本発明の実施形態を図面に基づいて説明する。
図２は、本発明の好適な実施形態によるマイクロホンのユニット構造を示す断面図である。このユニット構造２００は、基板２１０、音声処理ユニット２２０及び上カバー２３０を含む。また、ユニット構造２００は矩形状又は非矩形状である。
【００２４】
基板２１０は回路基板を含んでもよく、音声処理ユニット２２０は、音声センサ２２１、信号増幅装置２２２及び電子部品２２３を含み、上カバー２３０の側面には音孔２３１が設けられている。
【００２５】
このユニット構造２００において、基板２１０に含まれる回路基板は、音声処理ユニット２２０を装着するために用い、音声センサ２２１は基板２１０に装着され、その横には信号増幅装置２２２及び電子部品２２３が装着され、電子部品２２３は、必要な抵抗又はコンデンサでもよい。上カバー２３０の側面には、収音用の音孔２３１が設けられている。
【００２６】
上カバー２３０の側面に音孔２３１を配置することにより、異物がマイクロホンの上方からユニット構造内部に入ることを効果的に防ぐことができる。
【００２７】
図３、図４及び図５は、本発明の好適な実施形態によるマイクロホンのユニット構造を示す断面図である。図３に示す音孔２３２は、断面形状がラッパ状であり、図４に示す音孔２３３の断面形状は、上縁が水平方向へ延び、下縁が下方に傾斜して延びたラッパ状である。図５に示す音孔２３４は、断面形状の上縁及び下縁がそれぞれ下方に傾斜して延びたラッパ状である。
【００２８】
上述の音孔２３２、２３３、２３４は、断面形状の面積が音孔２３１よりも大きいために良好な収音効果を得ることができる。また、上カバー２３０の内壁にある開口は、音孔２３１と同じ高さに設けられているため、粉塵、液滴などの微小な異物も同様に入りにくい。
【００２９】
図６は、本発明の好適な実施形態によるマイクロホンのユニット構造を示す断面図である。音孔２３５の断面形状は、上縁及び下縁がそれぞれ下方に傾斜して延びている。音孔２３５は、音孔２３１と同じ高さに設けられ、貫設されている筒形が下方に傾斜しているため、外部の異物に対する遮蔽効果を有し、ユニット構造２００内部に異物が入らないようにする効果は、音孔２３１及びラッパ状の音孔２３２、２３３、２３４よりも優れている。
【００３０】
図６及び図７は、本発明の好適な実施形態によるマイクロホンのユニット構造を示す断面図である。音孔２３６の断面形状は、上縁の一方の端部及び下縁の一方の端部が水平線２４０上にあり、上縁と下縁は互いに平行に延びている。マイクロホンを垂直に使用すると、この音孔２３６の断面形状により、外部の異物がユニット構造２００内部に入ることを防ぐことができる。また音波は、下縁から上縁に反射された後にユニット構造２００内部へ反射され、音声センサ２２１により受信される。
【００３１】
図２〜図７は、本発明の好適な実施形態によるユニット構造２００を水平に設置した時の状態を示す。上カバー２３０の側面に設けられた音孔２３１、２３２、２３３、２３４、２３５、２３６は、単数又は複数でもよいが、均等に分布された複数の孔であることが好ましい。
【００３２】
以下、マイクロホンのユニット構造３００を垂直又は傾けて使用する時の状態を図８〜図１０に基づいて説明する。
【００３３】
図８は、本発明の好適な実施形態によるマイクロホンのユニット構造の上カバーを示す平面図である。図８に示すように、このユニット構造３００を垂直に使用した場合、ユニット構造３００の頂面にある水平線３１０及び垂直線３２０は、ユニット構造３００の頂面を均一に四等分し、ユニット構造３００の側面に設けられた二つの音孔３３０は、水平線３１０上へ対称に配置される。
【００３４】
図９は、本発明の好適な実施形態によるマイクロホンのユニット構造の上カバーを示す平面図である。図８に示すように、ユニット構造３００は垂直に配置され、二つの音孔３４０は、それぞれ水平線３１０より下の位置に、垂直線３２０の両側へ対称に設けられている。通常マイクロホンは、手で持ったりマイクロホンホルダーで使用したりするにしても傾けて使用されるため、音孔３４０の配置方式は実際の使用ニーズに合致する。
【００３５】
図１０は、本発明の好適な実施形態によるマイクロホンのユニット構造の上カバーを示す平面図である。図８に示すように、ユニット構造３００は垂直に配置され、二つの音孔３５０は、長形孔の形状で水平線３１０より下の位置に設けられ、垂直線３２０の両側へ対称に設けられている。これら音孔３５０の断面形状が、図６に示す音孔２３５に類似している場合、長形孔に設けて収音面積を大幅に増大させ、上述の配列方式と組合せることにより、理想的なマイクロホンのユニット構造にすることができる。
【００３６】
図８〜図１０に示すユニット構造３００の音孔３３０、３４０、３５０は、それぞれ水平線３１０の下の位置に設けられた単数又は複数の孔でもよい。
【００３７】
上述した本発明の好適な実施形態から分かるように、本発明には以下のような長所がある。
（１）音孔を設ける位置を上カバーの頂面から側面へ変更することにより、外部の異物がユニット構造の内部に直接入ることを効果的に防ぎ、ユニット構造の内部にある電子部品の使用寿命が短くなることを防ぐことができる。
（２）音孔の断面形状をラッパ状に形成して収音面積を増大させることにより、良好な収音効果を得ることができる。また、ユニット構造の側面に音孔を設けることにより外部の異物が内部に入ることを効果的に防ぐことができる。
（３）音孔の断面形状を下方に傾斜した筒形の孔に形成し、断面形状の上縁が遮蔽効果を有するため、収音効果は低減しない。またユニット構造内部にある部品の信頼度を向上させ、部品交換にかかるコストを減らすことができる。
（４）音孔を長形孔に形成して収音面積を大幅に増大させ、上カバーの側面の同じ側に設けることにより良好な収音効果を得ることができる。また音孔の断面形状を下方に傾斜した形状にすることにより、異物がユニット構造の内部に入ることを防ぎ、マイクロホンのユニット構造の耐久性を向上させることができる。
【００３８】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００３９】
【図１】従来の音孔が上カバーの頂面に設けられたマイクロホンのユニット構造を示す断面図である。
【図２】本発明の好適な実施形態による音孔の断面形状の上縁及び下縁がそれぞれ水平方向に延びているマイクロホンのユニット構造を示す断面図である。
【図３】本発明の好適な実施形態による音孔の断面形状がラッパ状であるマイクロホンのユニット構造を示す断面図である。
【図４】本発明の好適な実施形態による音孔の断面形状は、上縁が水平方向に延び、下縁が下方に傾斜して延びたマイクロホンのユニット構造を示す断面図である。
【図５】本発明の好適な実施形態による音孔の断面形状が下方に傾斜したラッパ状であるマイクロホンのユニット構造を示す断面図である。
【図６】本発明の好適な実施形態による音孔の断面形状の上縁及び下縁がそれぞれ下方に傾斜して延びたマイクロホンのユニット構造を示す断面図である。
【図７】本発明の好適な実施形態による音孔の断面形状の上縁の一方の端部及び下縁の一方の端部が同一水平線上にあるマイクロホンのユニット構造の部分断面図である。
【図８】本発明の好適な実施形態による音孔が水平線上で対称に設けられているマイクロホンのユニット構造の上カバーを示す平面図である。
【図９】本発明の好適な実施形態による音孔が水平線の下の位置で、垂直線の両側へ対称に設けられているマイクロホンのユニット構造の上カバーを示す平面図である。
【図１０】本発明の好適な実施形態による音孔が長形孔で、水平線の下方に形成され、垂直線の両側で対称に設けられているマイクロホンのユニット構造の上カバーを示す平面図である。
【符号の説明】
【００４０】
１００…ユニット構造、１１０…基板、１２０…音声処理ユニット、
１２１…音声センサ、１２２…信号増幅装置、１２３…電子部品、１３０…上カバー、
１３１…音孔、
２００…ユニット構造、２１０…基板、２２０…音声処理ユニット、
２２１…音声センサ、２２２…信号増幅装置、２２３…電子部品、２３０…上カバー、
２３１〜２３６…音孔、２４０…水平線、
３００…ユニット構造、３１０…水平線、３２０…垂直線、
３３０、３４０、３５０…音孔。
【図１】
2007195140.tif 000003
【図２】
2007195140.tif 000004
【図３】
2007195140.tif 000005
【図４】
2007195140.tif 000006
【図５】
2007195140.tif 000007
【図６】
2007195140.tif 000008
【図７】
2007195140.tif 000009
【図８】
2007195140.tif 000010
【図９】
2007195140.tif 000011
【図１０】
2007195140.tif 000012